(57)【特許請求の範囲】
【請求項１】
有底筒状の容器内が通気性の受板で上下に仕切られ、前記受板上の前記容器内には吸湿剤を収容する吸湿剤収容室が形成され、前記容器の底部には呼吸用孔が設けられ、前記容器の上部には前記吸湿剤収容室に連通させる通気管が設けられている吸湿呼吸装置において、
前記容器の底部には呼吸用孔として排気孔と吸気孔とが設けられ、
且つ前記容器の底部には、前記吸湿剤収容室側の内圧が外気圧より上昇して該外気圧との差圧が所定値以上になった際に排気用弁体が開となって該吸湿剤収容室側の圧力を前記排気孔を経て放圧する排気用弁機構と、前記吸湿剤収容室側の内圧が外気圧より低下して該外気圧との差圧が所定値以上になった際に吸気用弁体が開となって該吸湿剤収容室側に外気を前記吸気孔を経て吸込む吸気用弁機構とが設けられ、
前記排気用弁機構は、前記容器の底部に設けられて両端が異なる位置で前記吸湿剤収容室側に面する前記底部の上面に開口する排気通路と、前記吸湿剤収容室側に開口する前記排気通路の一方の開口部の周囲で前記底部の表面に設けられた排気用弁座と、通常は前記排気用弁座に接触して前記排気通路を閉じていて前記吸湿剤収容室側の内圧が外気圧より上昇して該外気圧との差圧が所定値以上になった際に前記排気通路を経て伝わる該内圧で押し上げられて前記排気通路を開く前記排気用弁体と、前記吸湿剤収容室側に面する前記排気用弁体と前記排気通路の一方の開口部と前記排気孔の開口部とを前記吸湿剤収容室側から隔離する隔離体とで構成されていることを特徴とする吸湿呼吸装置。
【請求項２】
前記吸気用弁機構は、前記容器の底部を貫通して外部と前記吸湿剤収容室側とを連通させている前記吸気孔を吸気通路として用いて、前記吸湿剤収容室側に開口する前記吸気通路の開口部の周囲で前記底部の表面に設けられた吸気用弁座と、通常は前記吸気用弁座に接触して前記吸気通路を閉じていて前記吸湿剤収容室側の圧力が外気圧より低下して該外気圧との差圧が所定値以上になった際に外気圧で押し上げられて前記吸気通路を開く前記吸気用弁体とで構成されていることを特徴とする請求項１に記載の吸湿呼吸装置。
【発明の詳細な説明】
【０００１】
【発明の属する技術分野】
本発明は、油入電気機器に取り付けられる吸湿呼吸装置に関するものである。
【０００２】
【従来の技術】
吸湿呼吸装置は、油入電気機器の温度変化による絶縁油の呼吸に際し、該絶縁油が吸湿して劣化しないようにするためのものである。
【０００３】
従来のこの種の吸湿呼吸装置は、図４及び図５に示されているように、有底筒状の容器１を有し、該容器１内は前下りに傾斜した受板２で上下に仕切られ、該受板２上の容器１内には吸湿剤収容室３が形成されている。吸湿剤収容室３内には吸湿剤４が充填されている。受板２の中央には通気孔５があけられ、該通気孔５を塞ぐように受板２上には金網６が載置され、ビス７で固定され、通気が行えるようになっている。
【０００４】
容器１の前面には、吸湿剤監視窓８と吸湿剤取出部９が設けられている。吸湿剤監視窓８を構成する枠体１０の下側構成部材１０Ａの上面には後下りの傾斜面１１が設けられていて、吸湿剤排出時に枠体１０の部分に吸湿剤４が取残されないようになっている。
【０００５】
吸湿剤取出部９は、基端の下面が受板２の傾斜下端にほぼ一致するようにして該基端を容器１内の吸湿剤収容室３に連通させて先端を斜め下向きにして容器１に気密に取付けられた吸湿剤取出筒体１２と、該吸湿剤取出筒体１２の先端側内面に周方向に刻設されたネジ部に螺着されて吸湿剤取出筒体１２の先端を閉塞する吸湿剤取出蓋１３と、吸湿剤取出筒体１２の先端と吸湿剤取出蓋１３との間に介在されたパッキン１４とで構成されている。
【０００６】
容器１の底部１５の中央には吸排気孔１６が設けられ、該吸排気孔１６に対応して底部１５の下にはオイルポット１７が配設されている。該オイルポット１７を取付けるために底部１５の下面には１２０度間隔で座板１８が取付けられ、該座板１８には内周にネジが刻設されている連結リング１９が取付けられている。この連結リング１９にオイルポット１７が着脱自在に取付けられている。該オイルポット１７はアクリル樹脂等の透明材で形成されている。オイルポット１７の上端には、底部１５と連結リング１９との間に座板１８をスペーサとして通気口２０が形成されている。オイルポット１７内の底側には油面位置基準線２１の位置までシール油２２が収容されている。油面位置基準線２１はオイルポット１７の外周に朱色で刻設されている。オイルポット１７内には該オイルポット１７の内径より小さな外径の吸排気管２３が同心状に配設されている。該吸排気管２３の上端は吸排気孔１６を包囲して底部１５の下面に気密に取付けられ、下端はシール油２２中に浸漬されている。吸排気管２３の下端には、上向きに切込み２４が、油面位置基準線２１を越えない高さで設けられている。容器１の下部には油面位置基準線２１に対応して覗き窓２５が設けられている。
【０００７】
容器１の上端外周にはフランジ２６が突設され、該フランジ２６上にはパッキン２７を介して該容器１の上端を閉塞する主蓋２８が載置され、ボルト２９とナット３０とで気密に取付けられている。主蓋２８には吸湿剤投入部３１と本体連通部３２が形成されている。吸湿剤投入部３１は、主蓋２８に形成された吸湿剤投入孔３３と、吸湿剤投入孔３３を包囲して主蓋２８の上面には気密に取付けられた吸湿剤投入筒体３４と、該筒体３４の上部に切られた内ネジに螺着されて吸湿剤投入筒体３４を閉塞しているキャップ状の吸湿剤投入蓋３５と、図示しないが吸湿剤投入筒体３４の上端と吸湿剤投入蓋３５との間に介在されたパッキンとで構成されている。本体連通部３２は、主蓋２８に形成された通気孔３６と、通気孔３６を包囲して主蓋２８の上面に気密に取付けられた通気管３７と、該通気管３７の上端外周に取付けられて図示しない油入電気機器の呼吸口に連結するための接続フランジ３８とで構成されている。
【０００８】
このような吸湿呼吸装置は、常時はシール油２２がシールの役割をはたして内外の空気を遮断しているが、油入電気機器の内圧が下り、外気圧と該油入電気機器の内圧との差が一定値以上に達すると、オイルポット１７内で油面が吸排気管２３の内外で差が生じて、切込み２４のところで空気の流通を許す。矢印で示した如く通気口２０から吸気された外気は、シール油２２を通って濾過された後、吸排気管２３及び吸排気孔１６を経て吸湿剤収容室３中を通りながら吸湿剤４で除湿され、乾燥空気となって本体連通部３２を通って油入電気機器内に導入される。一方、油入電気機器内の温度が上昇してその内圧が上り、該油入電気機器から排気を行う場合は、吸気と逆の行程で外部に排気される。
【０００９】
【発明が解決しようとする課題】
しかしながら、このような従来の吸湿呼吸装置では、外気との密封にシール油（絶縁油）２２を使用しているため、定期的にオイルポット１７の清掃と、シール油２２の取換えが必要となり、保守に手間と時間がかかる問題点がある。
【００１０】
本発明の目的は、オイルポットやシール油を使用しないで、外気との密封を行える吸湿呼吸装置を提供することにある。
【００１１】
本発明の他の目的は、保守に手間と時間がかからない吸湿呼吸装置を提供することにある。
【００１２】
【課題を解決するための手段】
本発明は、有底筒状の容器内が通気性の受板で上下に仕切られ、受板上の容器内には吸湿剤を収容する吸湿剤収容室が形成され、容器の底部には呼吸用孔が設けられ、容器の上部には吸湿剤収容室に連通させる通気管が設けられている吸湿呼吸装置を改良するものである。
【００１３】
本発明に係る吸湿呼吸装置においては、容器の底部に呼吸用孔として排気孔と吸気孔とが設けられている。また、容器の底部には、吸湿剤収容室側の内圧が外気圧より上昇して該外気圧との差圧が所定値以上になった際に排気用弁体が開となって該吸湿剤収容室側の圧力を排気孔を経て放圧する排気用弁機構と、吸湿剤収容室側の内圧が外気圧より低下して該外気圧との差圧が所定値以上になった際に吸気用弁体が開となって該吸湿剤収容室側に外気を吸気孔を経て吸込む吸気用弁機構とが設けられている。
【００１４】
このように排気用弁機構と吸気用弁機構とを用いて吸排気を行うと、オイルポットやシール油を使用しないで、外気との密封を行うことができる。このため従来のように定期的にオイルポットの清掃を行ったり、シール油の取換えを行ったりする必要がなくなり、保守に手間と時間がかからない利点がある。
【００１５】
上記排気用弁機構は、容器の底部に設けられて両端が異なる位置で吸湿剤収容室側に面する底部の上面に開口する排気通路と、吸湿剤収容室側に開口する排気通路の一方の開口部の周囲で底部の表面に設けられた排気用弁座と、通常は排気用弁座に接触して排気通路を閉じていて吸湿剤収容室側の内圧が外気圧より上昇して該外気圧との差圧が所定値以上になった際に排気通路を経て伝わる該内圧で押し上げられて排気通路を開く排気用弁体と、吸湿剤収容室側に面する排気用弁体と排気通路の一方の開口部と排気孔の開口部とを吸湿剤収容室側から隔離する隔離体とで構成する。このように本発明においては、吸湿剤収容室側に面する排気用弁体と排気通路の一方の開口部と排気孔の開口部とを吸湿剤収容室側から隔離するように隔離体を設けたので、排気用弁機構を吸気用弁機構と同じ向きにして、吸湿剤収容室側に向けても支障なく排気用弁機構を作動させることができる。
【００１６】
また、吸気用弁機構は、容器の底部を貫通して外部と吸湿剤収容室側とを連通させている吸気孔を吸気通路として用いて、吸湿剤収容室側に開口する吸気通路の開口部の周囲で底部の表面に設けられた吸気用弁座と、通常は吸気用弁座に接触して吸気通路を閉じていて吸湿剤収容室側の圧力が外気圧より低下して該外気圧との差圧が所定値以上になった際に外気圧で押し上げられて吸気通路を開く吸気用弁体とで構成することができる。
【００１７】
【発明の実施の形態】
図１及び図２は本発明に係る吸湿呼吸装置における実施の形態の一例を示したもので、図１は該吸湿呼吸装置の要部縦断側面図、図２は図１の要部拡大縦断図である。なお、前述した図４及び図５と対応する部分には、同一符号を付けて示している。
【００１８】
この吸湿呼吸装置においては、容器１の上半部側の構成については前述した図５と同様である。この吸湿呼吸装置では、容器１の底部１５に、呼吸用孔として排気孔３９と吸気孔４０とが設けられている。また、容器１の底部１５には、吸湿剤収容室３側の内圧が外気圧より上昇して該外気圧との差圧が所定値以上になった際に排気用弁体４１が開となって該吸湿剤収容室３側の圧力を排気孔３９を経て放圧する排気用弁機構４２と、吸湿剤収容室３側の内圧が外気圧より低下して該外気圧との差圧が所定値以上になった際に吸気用弁体４３が開となって該吸湿剤収容室３側に外気を吸気孔４０を経て吸込む吸気用弁機構４４とが設けられている。
【００１９】
排気用弁機構４２は、容器１の底部１５に設けられて両端が異なる位置で吸湿剤収容室３側に面する底部１５の上面に開口する排気通路４５と、吸湿剤収容室３側に開口する排気通路４５の一方の開口部４５ａの周囲で底部１５の表面に設けられた排気用弁座４６と、通常は排気用弁座４６に接触して排気通路４５を閉じていて吸湿剤収容室３側の内圧が外気圧より上昇して該外気圧との差圧が所定値以上になった際に排気通路４５を経て伝わる該内圧で押し上げられて排気通路４５を開く排気用弁体４１と、排気用弁機構４２の上方部分である吸湿剤収容室３側に面する排気用弁体４１と排気通路４５の一方の開口部４５ａと排気孔３９の開口部３９ａとを吸湿剤収容室３側から隔離する隔離体４７とを主体として構成されている。排気用弁体４１は、その下面にガイド軸４８が下向きに突設され、開口部４５ａ側の排気通路４５の内面にはガイド軸４８の昇降をガイドする昇降ガイド体４９が気体の通過を許容するようにして設けられている。隔離体４７は、前述した排気用弁機構４２の上方部分以外に、吸気用弁機構４４の上方部分も覆うようにしてカバー状に形成されて、底部１５の上面にシール材５０を介して気密に固定されている。隔離体４７内には、排気用弁機構４２側と吸気用弁機構４４側とを仕切る仕切り体５１が設けられている。吸気用弁機構４４側の隔離体４７内には、吸気した外気を吸湿剤収容室３側に供給する開口部５２が設けられている。
【００２０】
吸気用弁機構４４は、容器１の底部１５を貫通して外部と吸湿剤収容室３側とを連通させている吸気孔４０が吸気通路５３として用いられ、吸湿剤収容室３側に開口する吸気通路５３の開口部５３ａの周囲で底部１５の表面に設けられた吸気用弁座５４と、通常は吸気用弁座５４に接触して吸気通路５３を閉じていて吸湿剤収容室３側の圧力が外気圧より低下して該外気圧との差圧が所定値以上になった際に外気圧で押し上げられて吸気通路５３を開く吸気用弁体４３とで構成されている。吸気用弁体４３は、その下面にガイド軸５５が下向きに突設され、開口部５３ａ側の吸気通路５３の内面にはガイド軸５５の昇降をガイドする昇降ガイド体５６が気体の通過を許容するようにして設けられている。
【００２１】
通気管３７の上端は、本例では変圧器からなる油入電気機器５７のコンサベータ５８に繋がる連通管５９に、相互の接続フランジ３８，６０で接続されている。コンサベータ５８内には、油入電気機器５７に供給される絶縁油６１が収容されている。
【００２２】
次に、このような吸湿呼吸装置における呼吸動作について、図３（Ａ）〜（Ｃ）を参照して説明する。
【００２３】
容器１内の吸湿剤収容室３側の圧力変動がない場合には、図３（Ａ）に示すように、排気用弁機構４２と吸気用弁機構４４のいずれの弁体４１，４３もその自重で弁座４６，５４に接触していて、これら排気用弁機構４２と吸気用弁機構４４は閉となっていてこれらの弁機構４２，４４による呼吸作用はない。
【００２４】
油入電気機器５７側の圧力が上昇すると、コンサベータ５８内の絶縁油６１の油面が上がって吸湿剤収容室３側の圧力が上がり、この吸湿剤収容室３側の内圧が外気圧より上昇して該外気圧との差圧が所定値以上になった際に排気通路４５を経て伝わる該内圧で排気用弁体４１が図３（Ｂ）に示すように押し上げられて排気通路４５が開となる。これにより吸湿剤収容室３側の圧力は、排気孔３９を経て外部に放圧されて低下する。この放圧作用により、吸湿剤収容室３側の圧力と容器１の外部の圧力とに圧力差がほぼなくなると、自重で排気用弁体４１が下降して弁座４６に接触し、排気用弁機構４２が図３（Ａ）に示すような閉状態に戻る。
【００２５】
油入電気機器５７側の圧力が低下すると、コンサベータ５８内の絶縁油６１の油面が下がって吸湿剤収容室３側の圧力が下がり、この吸湿剤収容室３側の内圧が外気圧より低下して外気圧との差圧が所定値以上になった際に吸気用弁体４３が図３（Ｃ）に示すように外気圧で押し上げられて吸気通路５３が開となる。これにより外気が吸気通路５３を経て吸湿剤収容室３側に供給され、吸湿剤収容室３側の圧力が上昇する。この外気の吸込み作用により、吸湿剤収容室３側の圧力と容器１の外部の圧力とに圧力差がほぼなくなると、自重で排気用弁体４１が下降して弁座４６に接触し、排気用弁機構４２が図３（Ａ）に示すような閉状態に戻る。
【００２６】
このように排気用弁機構４２と吸気用弁機構４４とを用いて吸排気を行うと、オイルポットやシール油を使用しないで、外気との密封を行うことができる。
【００２７】
このような構造の場合には、隔離体４７が透明の場合には弁機構４２，４４の弁体４１，４３の動きを覗き窓２５で監視できるが、隔離体４７が不透明の場合には覗き窓２５を省略することができる。また、隔離体４７は吸気用弁機構４４では省略することができる。
【００２８】
【発明の効果】
本発明に係る吸湿呼吸装置においては、排気用弁機構と吸気用弁機構とを用いて吸排気を行うので、オイルポットやシール油を使用しないで、外気との密封を行うことができる。このため従来のように定期的にオイルポットの清掃を行ったり、シール油の取換えを行ったりする必要がなくなり、保守に手間と時間がかからない利点がある。
【００２９】
また本発明においては、吸湿剤収容室側に面する排気用弁体と排気通路の一方の開口部と排気孔の開口部とを吸湿剤収容室側から隔離するように隔離体を設けたので、排気用弁機構を吸気用弁機構と同じ向きにして、吸湿剤収容室側に向けても支障なく排気用弁機構を作動させることができる。
【図面の簡単な説明】
【図１】  本発明に係る吸湿呼吸装置における実施の形態の一例を示した要部縦断側面図である。
【図２】  図１の要部拡大縦断図である。
【図３】  （Ａ）（Ｂ）（Ｃ）は本例の吸湿呼吸装置における両弁機構の動作説明図である。
【図４】  従来の吸湿呼吸装置の正面図である。
【図５】  従来の吸湿呼吸装置の縦断側面図である。
【符号の説明】
１  容器
２  受板
３  吸湿剤収容室
４  吸湿剤
５  通気孔
６  金網
７  ビス
８  吸湿剤監視窓
９  吸湿剤取出部
１０  枠体
１０Ａ  下側構成部材
１１  傾斜面
１２  吸湿剤取出筒体
１３  吸湿剤取出蓋
１４  パッキン
１５  底部
１６  吸排気孔
１７  オイルポット
１８  座板
１９  連結リング
２０  通気口
２１  油面位置基準線
２２  シール油
２３  吸排気管
２４  切込み
２５  覗き窓
２６  フランジ
２７  パッキン
２８  主蓋
２９  ボルト
３０  ナット
３１  吸湿剤投入部
３２  本体連通部
３３  吸湿剤投入孔
３４  吸湿剤投入筒体
３５  吸湿剤投入蓋
３６  通気孔
３７  通気管
３８  接続フランジ
３９  排気孔
３９ａ  開口部
４０  吸気孔
４１  排気用弁体
４２  排気用弁機構
４３  吸気用弁体
４４  吸気用弁機構
４５  排気通路
４５ａ  開口部
４６  排気用弁座
４７  隔離体
４８  ガイド軸
４９  昇降ガイド体
５０  シール材
５１  仕切り体
５２  開口部
５３  吸気通路
５３ａ  開口部
５４  吸気用弁座
５５  ガイド軸
５６  昇降ガイド体
５７  油入電気機器
５８  コンサベータ
５９  連通管
６０  接続フランジ
６１  絶縁油
【図１】
0003950222.tif 000002
【図２】
0003950222.tif 000003
【図３】
0003950222.tif 000004
【図４】
0003950222.tif 000005
【図５】
0003950222.tif 000006